(57)【要約】【課題】タッチパネルで同一座標を入力する時間に応じた形状と面積を持つ選択領域を作成して当該選択領域内にあるアイコンを検索、選択することで、一度に大量のコンテンツの選択を可能とすること。【解決手段】アイコン表示手段１０１と、座標入力手段１０２と、選択領域作成手段１０３と、アイコン検索手段１０４と、アイコン選択手段１０５とを備え、タッチパネルを利用した座標入力手段１０２で入力される画面座標値を基準として入力時間に応じた形状と面積を持つ選択領域を作成し、アイコン表示手段１０１に対する選択領域内に表示されている全てのアイコンを検索、選択することにより、一度に大量のコンテンツを選択することができ、選択したいコンテンツの数を制御することができる。【選択図】図１
2006113715.tif 000002
【特許請求の範囲】
【請求項１】
コンテンツ情報を示すアイコンを一つ以上ディスプレイ上に表示するアイコン表示手段と、ディスプレイを触ることで画面座標値を入力する座標入力手段と、同一の画面座標が入力されている時間に応じて入力された画面座標値を基準とする選択領域を作成する選択領域作成手段と、前記選択領域内に前記アイコンが存在するかを検索するアイコン検索手段と、前記選択領域内に存在する全てのアイコンを選択するアイコン選択手段とを備えることを特徴とするタッチパネルＧＵＩ装置。
【請求項２】
前記コンテンツ情報が映像データである、請求項１に記載のタッチパネルＧＵＩ装置。
【請求項３】
前記コンテンツ情報が音楽データである、請求項１に記載のタッチパネルＧＵＩ装置。
【請求項４】
前記選択領域が入力座標を中心とした矩形領域である、請求項１に記載のタッチパネルＧＵＩ装置。
【請求項５】
前記選択領域が入力座標を中心とした円領域である、請求項１に記載のタッチパネルＧＵＩ装置。
【請求項６】
前記選択領域の面積が、画面座標が入力されている時間に比例して変化する、請求項１に記載のタッチパネルＧＵＩ装置。
【請求項７】
前記選択領域の面積が、画面座標が入力されている時間に応じて加速度的に変化する、請求項１に記載のタッチパネルＧＵＩ装置。
【請求項８】
前記選択領域の面積が、画面座標が入力されている時間に応じて段階的に変化する、請求項１に記載のタッチパネルＧＵＩ装置。
【請求項９】
前記選択領域の面積変化に関して、上限と下限を持つことを特徴とする、請求項１に記載のタッチパネルＧＵＩ装置。
【請求項１０】
前記選択領域の形状が、画面座標が入力されている時間に応じて段階的に変化する、請求項１に記載のタッチパネルＧＵＩ装置。
【請求項１１】
前記座標入力手段からの入力がなくなると選択領域の面積および形状の変化を行わない、請求項１に記載のタッチパネルＧＵＩ装置。
【請求項１２】
前記座標入力手段からの入力がなくなると選択領域の面積および形状の変化速度を減衰する、請求項１に記載のタッチパネルＧＵＩ装置。
【発明の詳細な説明】
【技術分野】
【０００１】
本発明は、タッチパネルを用いてディスプレイに表示されたアイコンを選択するタッチパネルＧＵＩ装置に関するものである。
【背景技術】
【０００２】
近年、車載情報端末等でタッチパネルによるコンテンツ操作を行うようなユーザーインターフェースが採用されている。指でディスプレイを触るだけでコンテンツを選択できることから、タッチパネルは直感的なユーザーインターフェースとして期待されている。従来のタッチパネルＧＵＩ装置としては、複数のコンテンツを選択する際には、ディスプレイ上に表示されるコンテンツを示すアイコンを一つ一つ直接指で触って選択するものであった。また、複数のコンテンツを選択できても決められた領域単位でしか選択できなかった（例えば、特許文献１参照）。図２は、前記特許文献１に記載された従来のタッチパネルＧＵＩ装置を示すものである。
【０００３】
図２において、データを入力するための入力装置において、マトリクス状の複数の接触領域を有している接触手段２０１と、前記接触領域が所定範囲内の圧力を受けたとき入力を検知する第１の入力機構手段２０２と、前記接触手段が前記所定範囲より大きい圧力を受けたとき入力を検知する第２の入力機構手段２０３とから成るタッチパネル・ディスプレイ２０４と、前記タッチパネルで選択するための入力データを表示装置の画面上の描く表示領域に表示する入力データ表示手段２０５と、前記第１の入力機構手段２０２により前記接触領域の入力が検知されると前記入力された接触領域に対応する前記表示領域を特徴表示する特徴表示手段２０６と、前記第２の入力機構手段２０３により前記接触領域の入力が検知されると前記入力された接触領域に対応する前記画面上の前記入力データを確定する入力データ確定手段２０７から構成されている。
【０００４】
また、タッチパネルを用いたものではないが複数のコンテンツを選択する従来方式として、ウインドウズにおけるアイコン選択方式のようにドラッグ＆ドロップにより選択範囲を指定し複数のコンテンツを同時に選択できるものがあった。
【特許文献１】特開平５−１８９１１０号公報（第１−８頁、図２）
【発明の開示】
【発明が解決しようとする課題】
【０００５】
しかしながら、従来の構成では１つ以上のコンテンツを同時に選択することができるものの、決められた固定領域単位でしか選択することができないため、好きな量のコンテンツを複数同時に選択したい場合には結局は１つづつ選択し操作していかなければならずユーザにとって大きな負担になるという課題を有していた。
【０００６】
またウインドウズのようにドラッグ＆ドロップにより選択範囲を決定する方式では、たとえば車載端末等の場合選択範囲をユーザが見ながら決定しなければならず、短時間での操作を行うには運転者に対する操作の負担が大きくなり安全性に問題がある、という課題を有していた。
【０００７】
本発明は、従来の課題を解決するもので、選択したいコンテンツを示すアイコンが表示されているディスプレイ上の点を押し続けることで選択領域を制御することができ、直感的にユーザの好きな量のコンテンツ選択を行うことができるタッチパネルＧＵＩ装置を提供することを目的とする。
【課題を解決するための手段】
【０００８】
前記従来の課題を解決するために、本発明のタッチパネルＧＵＩ装置は、コンテンツ情報を示すアイコンを一つ以上ディスプレイ上に表示するアイコン表示手段と、タッチパネルを利用したディスプレイを触ることで画面座標値を入力する座標入力手段と、同一の画面座標が入力されている時間に応じて入力された画面座標値を基準とする選択領域を作成する選択領域作成手段と、前記選択領域内に前記アイコンが存在するかを検索するアイコン検索手段と、前記選択領域内に存在する全てのアイコンを選択するアイコン選択手段を有し、直感的な大量コンテンツ選択を可能とする。
【発明の効果】
【０００９】
本発明のタッチパネルＧＵＩ装置によれば、選択したいコンテンツ情報を示すアイコンが表示されているタッチパネル上の点を指で押し続け、同一座標の点を押し続ける時間によって選択領域の大きさや形状を制御することにより、大量のコンテンツを直感的にかつ簡単な操作で選択することができる。
【発明を実施するための最良の形態】
【００１０】
以下本発明の実施の形態について、図面を参照しながら説明する。
【００１１】
（実施の形態１）
図１は、本発明の実施の形態１におけるタッチパネルＧＵＩ装置の構成図である。図１において、図２と同じ構成要素については同じ符号を用い、説明を省略する。
【００１２】
図１において、アイコン表示手段１０１は、コンテンツ情報を示すアイコンを一つ以上ディスプレイ上に表示する。座標入力手段１０２は、タッチパネル・ディスプレイ２０４を触ることで画面座標値を入力する。選択領域作成手段１０３は、同一の画面座標が入力されている時間に応じて入力された画面座標値を基準とする選択領域を作成する。アイコン検索手段１０５は、前記選択領域内に前記アイコンが存在するかを検索する。アイコン選択手段１０６は、前記選択領域内に存在する全てのアイコンを選択する。
【００１３】
以上のように構成されたタッチパネルＧＵＩ装置について、詳細にその動作を説明する。本実施例では、車載情報端末におけるタッチパネルＧＵＩ装置として説明する。
【００１４】
アイコン表示手段１０１は、コンテンツ情報を示すアイコンを一つ以上タッチパネル・ディスプレイ２０４上に表示する。コンテンツ情報としては画像データ、映像データ、音楽データ、文字データがある。アイコンは、コンテンツ情報と１対１でリンクしているコンテンツ情報を表す画像であり、表示位置情報を持っている。表示位置情報は、タッチパネル・ディスプレイの画面座標系で定義することができ、画面座標系の原点はスクリーン上の任意の点に設定することができる。例えば図３では原点をディスプレイ左上に設定している。画面座標は２次元座標（Ｘ，Ｙ）の形式で表記することができる。ここでＸは原点からのディスプレイ横方向の画素差分、Ｙは原点からのディスプレイ縦方向の画素差分を表す。ディスプレイ左上を原点座標（０，０）としたとき、ディスプレイ左上から右方向にＸ０、ディスプレイ左上から下方向にＹ０だけ離れているディスプレイ上の点３０１の座標は（Ｘ０，Ｙ０）と表記する。アイコンの表示は２次元でも３次元でも構わない。アイコン表示手段１０１は、表示しているアイコンに関する情報をアイコン検索手段１０４に転送する。
【００１５】
座標入力手段１０２は、運転者がタッチパネル・ディスプレイ２０４を触ることにより画面座標を入力する。座標入力手段１０２によって入力される座標系は、アイコン表示手段１０１の座標系と同一あるいは何らかの関連性を持つ必要がある。また、運転者が複数の指などでディスプレイを触った場合、複数の画面座標が入力となる。座標入力手段１０２は、画面座標を選択領域作成手段１０３へ転送する。
【００１６】
選択領域作成手段１０３は、座標入力手段１０２によって画面座標が入力されたかどうかを判定し、同一座標の入力がある間画面座標を基準として選択領域を作成する。ここでは、選択領域はタッチパネル・ディスプレイ上の複数ピクセルから形成され選択領域の面積はピクセルの個数と同等のものとする。作成する選択領域の形状や面積といった属性は同一画面座標が入力されている間の時間によって決定する。選択領域の形状は、矩形、円などといった任意の図形であり、時間によって矩形から円に変化するようなものであっても構わない。また、選択領域の面積は時間に比例して増減してもよいし、加速度増減してもよいし、段階的に増減してもよい。また、選択領域の面積の上限値と下限値を持っていても構わない。すなわち、時間Ｔ０に対応する面積Ｄ（Ｔ０）が、上限値Ｄｍａｘを超えてしまう場合にはＤ（Ｔ０）＝Ｄｍａｘ、下限値Ｄｍｉｎを下回ってしまう場合にはＤ（Ｔ０）＝Ｄｍｉｎとなるような選択領域が作成される。例えば、選択領域作成手段１０３が時間に比例して面積が増加する矩形領域を作成するような場合、図４のように画面座標４０１（Ｘ０，Ｙ０）が時間Ｔ０の間入力されているときには入力である画面座標４０１（Ｘ０，Ｙ０）を基準とした縦横Ｔ０×Ｌｅｎｇｔｈ（Ｌｅｎｇｔｈは増加量）の正方形領域を選択領域として作成する。この正方形領域は、４点４０２（Ｘ０−Ｔ０×Ｌｅｎｇｔｈ／２，Ｙ０−Ｔ０×Ｌｅｎｇｔｈ／２）、４０３（Ｘ０＋Ｔ０×Ｌｅｎｇｔｈ／２，Ｙ０−Ｔ０×Ｌｅｎｇｔｈ／２）、４０４（Ｘ０＋Ｔ０×Ｌｅｎｇｔｈ／２，Ｙ０＋Ｔ０×Ｌｅｎｇｔｈ／２）、４０５（Ｘ０−Ｔ０×Ｌｅｎｇｔｈ／２，Ｙ０＋Ｔ０×Ｌｅｎｇｔｈ／２）から成るものとする。当然矩形領域でなく、直径Ｔ０×Ｌｅｎｇｔｈの円領域を選択領域として作成しても構わない。座標入力手段１０２からの同一座標の入力が続く間、選択領域の面積あるいは形状は時間によって変化する。もし座標入力手段１０２からの入力がない場合には選択領域作成手段１０３は選択領域の面積あるいは形状変化を中断し、その時点での選択領域を用いてアイコン検索手段１０４を行う。ここで、選択領域の面積あるいは形状変化を中断するのではなく、選択領域の面積あるいは形状の変化を緩やかに減衰させたあとにアイコン検索手段１０４を行うようにしても構わない。このように運転者はただ１点を押す操作だけで自動的に選択領域を調整し複数のコンテンツを同時に選択することができる。以下、選択領域作成手段１０３の動作を具体的に説明する。例えば図５は、２つの感情成分を軸とした音楽データを示すアイコンを２次元座標空間にマッピングする音楽コンテンツ再生システムであり、選択領域作成手段１０３が時間に比例して矩形形状に面積増加するものとする。図５では原点を感情成分２軸の交わる点５０１としている。また音楽コンテンツを示すアイコンを丸印で表している。感情成分は、「明るい／暗い」「激しい／静か」などの感情成分を軸としているため、テンポや曲調などが似ている曲同士、同じアーティストの曲同士はお互い近い位置にマッピングされやすくなる。ユーザが「明るくて激しい曲」を選択したい場合、点５０２付近の座標を時間Ｔ０の間入力すれば、選択領���作成手段１０３は面積Ｄ（Ｔ０）の矩形領域５０３を生成する。時間Ｔ１（Ｔ０＜Ｔ１とする）の間入力すれば、時間Ｔ０のときよりも大きい面積Ｄ（Ｔ１）の矩形領域５０４を生成する。ユーザが求めている「明るさ」度と「激しさ」度に近いコンテンツを複数一度に選択できさらにユーザが入力する時間Ｔを制御することにより選択領域の面積を決めることができる。選択領域作成手段１０３は、作成した選択領域に関する情報をアイコン検索手段１０４に転送する。
【００１７】
アイコン検索手段１０４は、アイコン表示手段１０１で表示されている各アイコンに対して選択領域内部に存在するかを検索する。タッチパネル上のアイコンの中心座標（Ｘａ，Ｙａ）が、選択領域内であるピクセルであるかどうか判定する。このときアイコンの中心座標ではなく、表示されているアイコンの一部または全部のピクセルが選択領域内に含まれているかを判定し、存在するかどうかを決定するアルゴリズムでも構わない。選択領域が複数ある場合にも同様に各アイコン、選択領域に対して判定を行う。アイコン表示手段１０１で表示されているすべてのアイコンが選択領域に含まれるかどうかの判定を行い、選択領域に含まれているアイコン情報をアイコン選択手段１０５に転送する。
【００１８】
アイコン選択手段１０５は、アイコン検索手段１０４で選択領域内部に存在していると判定されたアイコンを選択状態にする。選択状態になった一つ以上のアイコンは一度に同一の処理を施すことができ、アイコンと関連づけられているコンテンツ情報を一度に移動、消去、コピー、連続再生といった処理をすることが可能となる。
【００１９】
ここまで述べたタッチパネルＧＵＩ装置は車載情報端末における発明であるが、車載に限定するものではない。
【産業上の利用可能性】
【００２０】
本発明にかかるタッチパネルＧＵＩ装置は、選択したいコンテンツを示すアイコンが表示されているディスプレイ上の１点を押し続けることで選択領域を制御する機構を有しており、直感的に大量のコンテンツ選択を行うことができる。そのため、例えば安全性が重要視される車載情報端末等のような、タッチパネルを有しているエンターテイメント向けＧＵＩ装置に応用できる。
【図面の簡単な説明】
【００２１】
【図１】本発明の実施の形態１におけるタッチパネルＧＵＩ装置の構成図
【図２】従来のタッチパネルＧＵＩ装置の構成図
【図３】本発明におけるタッチパネルＧＵＩ装置のアイコン表示手段における画面座標を説明する図
【図４】本発明におけるタッチパネルＧＵＩ装置の選択領域作成手段を説明する図
【図５】本発明におけるタッチパネルＧＵＩ装置の応用である音楽コンテンツ検索システムを説明する図
【符号の説明】
【００２２】
１０１    アイコン表示手段
１０２    座標入力手段
１０３    選択領域作成手段
１０４    アイコン検索手段
１０５    アイコン選択手段
２０１    接触手段
２０２    第１の入力機構手段
２０３    第２の入力機構手段
２０４    タッチパネル・ディスプレイ
２０５    入力データ表示手段
２０６    特徴表示手段
２０７    入力データ確定手段
３０１，４０１，５０２    入力となる画面座標
４０２，４０３，４０４，４０５    選択領域を形成する矩形の４点座標
５０１    画面原点
５０３，５０４    選択領域
【図１】
2006113715.tif 000003
【図２】
2006113715.tif 000004
【図３】
2006113715.tif 000005
【図４】
2006113715.tif 000006
【図５】
2006113715.tif 000007